(57)【要約】【課題】  ホルマリン等の有害物質を酸化して分解除去する濾過剤が充填されたフィルタの交換時期を、未熟練者でも随時容易且つ正確に判断できる空気浄化装置、及び、当該空気浄化装置に用いるフィルタを提供する。【解決手段】  空気浄化装置の、少なくともフィルタチェンバ４の内壁面と対向する側壁の一部に第１の透明部９Ａが設けられたフィルタ７のフィルタケーシング９内に、ホルマリン等の有害物質を酸化して分解除去する酸化剤と当該酸化剤中の酸化生成物の増加に伴って色が変化する反応指示薬を併せた濾過剤が充填され、前記フィルタチェンバ４の少なくとも一部に、前記第１の透明部９Ａを通してフィルタケーシング９内の濾過剤を当該フィルタチェンバ４の外側から観察可能な第２の透明部１９Ａが設けられている。【選択図】  図３
2015181775.tif 000002
【特許請求の範囲】
【請求項１】
フィルタチェンバ内に、ホルマリン等の有害物質を酸化して分解除去する濾過剤を用いたフィルタを少なくとも１つ組み込んで、送風手段を用いてフィルタチェンバ内に導入された外部の空気を、前記フィルタを通過させて浄化するようにした空気浄化装置であって、
前記フィルタは、少なくとも、フィルタチェンバの内壁面と対向して配置される側壁の一部に第１の透明部を有するフィルタケーシングと、その内部に充填された、当該フィルタケーシングを通過する空気に含まれる有害物質を酸化して分解する酸化剤と当該酸化剤中の酸化生成物の増加に伴って色が変化する反応指示薬を併せた濾過剤から構成され、
前記フィルタチェンバの少なくとも一部に、前記第１の透明部を通してフィルタケーシング内の濾過剤中の反応指示薬の色を当該フィルタチェンバの外側から観察可能な第２の透明部が設けられていることを特徴とする空気浄化装置。
【請求項２】
フィルタチェンバ外面の第２の透明部の近傍位置または第２の透明部に、有害物質の酸化生成物の増加に伴って濾過剤中に空気流通方向に進行する反応指示薬の変色域の境界位置が、フィルタ交換が必要な位置に達したか否かを知らせる指標を記した表示部を設けたことを特徴とする請求項１に記載の空気浄化装置。
【請求項３】
空気浄化装置のフィルタチェンバに組み込まれるフィルタケーシングと、
前記フィルタケーシング内に充填される、当該フィルタケーシングを通過する空気に含まれるホルマリン等の有害物質を酸化して分解する酸化剤と当該酸化剤中の酸化生成物の増加に伴って色が変化する反応指示薬を併せた濾過剤からなり、
前記フィルタケーシングは、その少なくとも一部に、濾過剤中の反応指示薬の色を外部から観察可能な透明部を有していることを特徴とするフィルタ。
【発明の詳細な説明】
【技術分野】
【０００１】
本発明は、ホルマリン等の有害物質を含む空気を浄化するフィルタの交換時期を、容易に確認できるようにした空気浄化装置に関し、また、前記空気浄化装置に組み込まれるフィルタに関する。
【背景技術】
【０００２】
医学部や歯学部等の解剖実習においては、腐敗や細菌の繁殖を防ぐためにホルマリンを注入し、エタノールに浸漬した被剖検体を解剖台上で解剖している。解剖実習は長期間に亘って行われるため、実習を中断するときは、殺菌消毒と乾燥防止の目的で被剖検体にエタノールを噴霧し、これをさらにエタノールを噴霧した布で覆った後、周囲にホルマリン等の人体に有害な物質が拡散しないように、解剖台上の被剖検体に、特許文献１に記載されているような、ガスバリア性を有するカバーを被せて、次回の解剖実習再開時まで保管している。
【０００３】
そして、次回の解剖実習の再開する際に、カバーに設けられている排気口と外気取込口の蓋体を外して前記排気口を空気浄化装置に排気ホースで連結し、被剖検体やこれを覆っている布から発散したホルマリンやエタノールを含んだカバー内の空気を空気浄化装置に吸引して、カバー内の空気が外気取込口から流入してくる清浄な外気と置換された後に、カバーを取り外して実習を再開している。  
【０００４】
空気浄化装置によって吸引された空気は、この中に含まれるホルマリンやエタノールが当該空気浄化装置のフィルタチェンバ内に組み込まれているフィルタによって除去されて清浄化された後、解剖室内に放出される。
【０００５】
この際、分子量の大きいエタノールは、活性炭を濾過剤に用いたフィルタに物理的に吸着されて濾過されるが、分子量の小さいホルマリンは当該フィルタには捕捉されずに透過してしまうため、過マンガン酸カリウム等の酸化剤を濾過剤に用いたフィルタを前記活性炭フィルタの後方に設けて、ここでホルマリンを酸化分解して無毒化している。
【０００６】
ホルマリンを分解除去するフィルタの濾過剤は、ホルマリンを酸化分解するにしたがってその濾過能力が次第に低下していくため、フィルタ後方から室内に漏れ出すホルマリンの濃度が所定の許容レベルに達する前にフィルタを新しいものと交換する必要がある。
【０００７】
一方、フィルタの交換時期を報知するために、特許文献２で提案されている発明においては、空気浄化装置の空気流路に複数のフィルタを前後に配列して、前方のフィルタと後方のフィルタ間の隙間に、前方のフィルタを通過した空気の汚れを検出する汚れ検出センサを設け、前方のフィルタを通過した空気の汚れが所定の閾値に達すると、報知信号が発せられるようにしている。
【先行技術文献】
【特許文献】
【０００８】
【特許文献１】特許第４８２２４７０号公報
【特許文献２】特開２０１１−７２９６２号公報
【発明の概要】
【発明が解決しようとする課題】
【０００９】
しかしながら、特許文献２に記載されている発明においては、汚れ検出センサで検出される汚れの閾値は、後方のフィルタから外部に放出される空気中に含まれる有害物質の濃度の許容レベルに基づく推定値が用いられているため、実際にフィルタ交換が必要となる時期が正確に把握できなかった。
【００１０】
そのため、前記汚れの閾値は、安全性を考慮して実際にフィルタ交換が必要となる値より低く推定されることにより、必要以上に早期にフィルタが交換されてしまう可能性があった。
【００１１】
また、フィルタの交換時期を判断する方法として、フィルタ後方の空気流路内にホルマリンの反応指示薬を封入した検知管を差し込んで、フィルタを通過した空気に含まれるホルマリンの濃度を測定する方法もあるが、この方法では連続的な測定ができず、また測定する空気の中にエタノールが含まれていると、反応指示薬がこれに反応してホルマリンの濃度が正確に測定できなくなる問題があった。また、この測定には専門的な知識や熟練を必要とし、費用がかかる問題もあった。
【００１２】
そこで、本発明は、前述したような従来技術における問題点を解消し、ホルマリン等の有害物質を酸化して分解除去する濾過剤が充填されたフィルタの交換時期を、未熟練者でも随時容易且つ正確に判断できる空気浄化装置、及び、当該空気浄化装置に用いるフィルタを提供することを目的とする。
【課題を解決するための手段】
【００１３】
前記目的のために提供される本発明の空気浄化装置は、フィルタチェンバ内に、ホルマリン等の有害物質を酸化して分解除去する濾過剤を用いたフィルタを少なくとも１つ組み込んで、送風手段を用いてフィルタチェンバ内に導入された外部の空気を、前記フィルタを通過させて浄化するようにした空気浄化装置であって、前記フィルタは、少なくとも、フィルタチェンバの内壁面と対向して配置される側壁の一部に第１の透明部を有するフィルタケーシングと、その内部に充填された、当該フィルタケーシングを通過する空気に含まれる有害物質を酸化して分解する酸化剤と当該酸化剤中の酸化生成物の増加に伴って色が変化する反応指示薬を併せた濾過剤から構成され、前記フィルタチェンバの少なくとも一部に、前記第１の透明部を通してフィルタケーシング内の濾過剤中の反応指示薬の色を当該フィルタチェンバの外側から観察可能な第２の透明部が設けられていることを特徴としている。
【００１４】
本発明の空気浄化装置においては、フィルタチェンバ外面の第２の透明部の近傍位置または第２の透明部に、有害物質の酸化生成物の増加に伴って濾過剤中に空気流通方向に進行する反応指示薬の変色域の境界位置が、フィルタ交換が必要な位置に達したか否かを知らせる指標を記した表示部を設けてあることが望ましい。
【００１５】
また、前記目的のために提供される本発明のフィルタは、空気浄化装置のフィルタチェンバに組み込まれるフィルタケーシングと、前記フィルタケーシング内に充填される、当該フィルタケーシングを通過する空気に含まれるホルマリン等の有害物質を酸化して分解する酸化剤と当該酸化剤中の酸化生成物の増加に伴って色が変化する反応指示薬を併せた濾過剤からなり、 前記フィルタケーシングは、その少なくとも一部に、濾過剤中の反応指示薬の色を外部から観察可能な透明部を有していることを特徴としている。
【発明の効果】
【００１６】
請求項１に記載された発明に係る空気浄化装置によれば、フィルタ内のホルマリン等の有害物質を酸化して分解除去する濾過剤の劣化度合を、装置外部から目視によって、随時確認することできるため、フィルタ交換時期を知らせるためのホルマリン検出センサや報知装置等を空気浄化装置に設ける必要がない。
【００１７】
また、本発明においては、ホルマリン検出センサ等を用いずにフィルタ交換時期を知ることができるため、ホルマリン検出センサ等の故障によってフィルタ交換時期のタイミングを逸する虞が無く、高い信頼性と安全性を確保することができる。
【００１８】
また、請求項２に記載された発明に係る空気浄化装置によれば、前述した請求項１の発明がもたらす効果に加えてさらに、濾過剤に含まれる反応指示薬等の変色状況を見ただけではフィルタの交換時期の判断が困難な未熟練者でも、表示部に記された指標を参照することによって、フィルタ交換の時期を的確に把握することができる。
【００１９】
また、請求項３に記載された発明に係るフィルタによれば、そのフィルタの濾過剤に含まれる反応指示薬の変色状況を透明部を通してフィルタケーシングの外部から観察することができるため、フィルタ内の濾過剤の劣化度合を容易に確認することができる。
【００２０】
また、透明部を通して観察されるフィルタケーシング内の濾過剤に含まれる反応指示薬の変色状況から、新しいフィルタと使用済みのフィルタの識別が容易にできるため、誤って使用済みのフィルタを再び使用して、ホルマリン等の有害物質で汚染された空気を空気浄化装置から室内に流出させてしまう事故を未然に防止することができる。
【図面の簡単な説明】
【００２１】
【図１】本発明の空気浄化装置を解剖台の被剖検体カバーに連結した状態を示す側面図である。
【図２】本発明の空気浄化装置に設けられているフィルタチェンバの縦断面図である。
【図３】本発明の空気浄化装置に設けられているフィルタチェンバの水平断面図である。
【図４】図２のＡ−Ａ断面を示すフィルタチェンバの横断面図である。
【図５】本発明の空気浄化装置に用いられるホルマリン除去用フィルタの斜視図である。
【図６】本発明の空気浄化装置に用いられるホルマリン除去用フィルタの透明部近傍の水平断面図である。
【図７】本発明の空気浄化装置に設けられている透明部を有する蓋体の正面図である。
【発明を実施するための形態】
【００２２】
以下、本発明の実施形態について図面を参照して説明する。図１は、本発明の空気浄化装置を解剖台の被剖検体カバーに連結した状態を示す側面図であって、同図に示す空気浄化装置１は、解剖実習室内に置かれた解剖台Ａの近傍に設置して使用される。
【００２３】
前記解剖台Ａには、 前回の解剖実習が終了してから次回の解剖実習が開始されるまでの間、ホルマリンとエタノールを用いて処理されている解剖実習用の被剖検体Ｂが載置されている。この間、解剖が中断されている被剖検体Ｂから人体に有害なホルマリンや高濃度のエタノールが解剖実習室内に流出・拡散することを防ぐために、前記被剖検体Ｂには、ガスバリア性を有する柔軟な透明樹脂シート製の被剖検体カバーＣが被せてある。
【００２４】
そして、解剖実習を再開する際には、解剖台Ａから被剖検体カバーＣを取り外す前に、前記被剖検体カバーＣの一方の端面に設けられて常時は蓋で密閉されている排気口と、空気浄化装置１との間を、前記蓋を取り外して排気ホースＤで接続する。
【００２５】
また、被剖検体カバーＣの反対側の端面には、これも図示しないが、常時は蓋で密閉されている外気取込口が設けられており、前記排気口に排気ホースＤを接続する際に、この蓋を外して被剖検体カバーＣの内部に前記外気取込口から外気の流入が可能にしておく。
【００２６】
この状態で、空気浄化装置１に内蔵されている送風手段を動作させて、被剖検体カバーＣの内側に充満している有害物質を含んだ空気を、排気ホースＤを介して空気浄化装置１の内部へ吸引する。
【００２７】
空気浄化装置１に取り込まれたホルマリンやエタノールを含んだ空気は、その内部に組み込まれているフィルタを通過する際にこれらの有害物質が除去され、清浄化された空気が解剖実習室内に放出される。
【００２８】
こうして、被剖検体カバーＣ内の空気は、外気取込口から流入した外部の清浄な空気で置換される。被倍検体カバーＣ内の空気が完全に置換された後、被剖検体カバーＣを取り外して実習を再開する。
【００２９】
本実施形態においては、空気浄化装置１は、機枠２の底部に設けられた複数のキャスタ車輪３によって解剖実習室の床面Ｅの上を所望の位置へ移動可能な構造になっている。機枠２の外側は、ステンレス製のパネルで覆われていて、前記パネルには、操作スイッチや内部の点検用の蓋等が設けられている。また、図示していないが、機枠２の内部にはブロワが送風手段として搭載されている。
【００３０】
また、機枠２の上にはフィルタチェンバ４が設けられている。図２はフィルタチェンバ４の縦断面図、図３はその水平断面図、図４は、図２のＡ−Ａ断面を示す横断面図であって、これらの図に示すように、フィルタチェンバ４は箱状に製作されており、前側の端面に排気ホースＤに連結される吸気口５が設けられている。また、図示は省略しているが、フィルタチェンバ４の後端側の下面には、機枠２内のブロワに連通する出口が設けられている。
【００３１】
フィルタチェンバ４の内部には、吸気口５から前記出口に至る空気流路が形成されていて、この空気流路内の前段にはその前後方向に並べて同一仕様の４つの活性炭フィルタ６が隣接して配置されており、また後段には、同一仕様の４つのホルマリン除去用フィルタ７が隣接して配置されている。
【００３２】
これらの活性炭フィルタ６とホルマリン除去用フィルタ７はそれぞれ、外形寸法が同一サイズに統一されている、周囲が矩形枠状のフィルタケーシング８、９を有しており、活性炭フィルタ６のフィルタケーシング８内には活性炭が濾過剤として充填されている。
【００３３】
また、ホルマリン除去用フィルタ７のケーシング９内には、過マンガン酸カリウムの粒子表面に反応指示薬の微粒子をコーティングした濾過剤が充填されている。この反応指示薬は、濾過剤中の過マンガン酸カリウムがホルマリンと反応し、酸化生成物が増加してＰＨ値が変化すると色が変化するものが用いられている。
【００３４】
フィルタチェンバ４の内側の上面と下面、及び、奥側の側面には、活性炭フィルタ６のフィルタケーシング８の上面と下面、及び奥側の側面にそれぞれ対向してこれらを案内支持するフィルタ保持部材１０ａ、１０ｂ、１０ｃが、図４に示すように、前後方向に見て略コ字状に設けられている。
【００３５】
また、図３及び図４に示すように、フィルタチェンバ４の手前側の側壁には、活性炭フィルタ６を交換時に出し入れするための矩形状のフィルタ交換用開口部１１が形成されている。
【００３６】
前記フィルタ交換用開口部１１は、常時は開閉ハンドル１２によって取り外し可能な蓋体１３で密閉されている。また、図２及び図３に示すように、フィルタチェンバ４の内側には、これらのフィルタ保持部材１０ａ、１０ｂ、１０ｃの後端面に前端面を当接させた状態で、フィルタチェンバ４の前後方向から見て矩形枠状のフィルタ位置決め部材１４が固定されている。
【００３７】
前記フィルタ位置決め部材１４は、フィルタチェンバ４内でフィルタ保持部材１０ａ、１０ｂ、１０ｃに保持されている４つの活性炭フィルタ６の列最後尾のもののフィルタケーシング８の後端面を、フィルタチェンバ４の前後方向の所定位置に位置決めしている。
【００３８】
また、それぞれの活性炭フィルタ６のフィルタケーシング８の後端面の周縁部には、全周に亘ってゴム素材からなる帯状のシール部材Ｓが貼り付けられていて、これらの活性炭フィルタ６相互のフィルタケーシング８間、ならびに、最後尾の活性炭フィルタ６のフィルタケーシング８とフィルタ位置決め部材１４間をそれぞれ密封している。
【００３９】
なお、図示を省略しているが、フィルタチャンバ４の内側には、４つの活性炭フィルタ６の列前端のフィルタケーシング８の前端面を後方に押圧して、これらの活性炭フィルタ６を前記フィルタ位置決め部材１４との間で挟み込んで固定しておくカムを有するカム機構が設けられている。
【００４０】
前記カム機構は、これらの活性炭フィルタ６を交換する際に、フィルタチェンバ４の外部に配置されている図示しない操作ハンドルを回すことにより、フィルタケーシング８の押圧を解除し、フィルタ交換用開口部１１から使用済みの活性炭フィルタ６を取り出して新たなものと交換できるように構成されている。
【００４１】
また、後段の４つのホルマリン除去用フィルタ７は、前述したフィルタ保持部材１０ａ、１０ｂ、１０ｃと同様に、フィルタチェンバ４の前後方向に見て略コ字状に設けられたフィルタ保持部材１５ａ、１５ｂ、１５ｃによって保持されているとともに、列最後尾のホルマリン除去用フィルタ７のフィルタケーシング９が、フィルタ位置決め部材１６によって位置決めされている。
【００４２】
なお、ここでも図示は省略しているが、フィルタチャンバ４の内側には、前述した活性炭フィルタ６の場合と同様に、これらのホルマリン除去用フィルタ７の列前端のフィルタケーシング９の前端面を後方に押圧してこれらのホルマリン除去用フィルタ７を前記フィルタ位置決め部材１６との間で挟み込んで固定し、フィルタ交換時に外部の操作ハンドルを回して押圧を解除可能なカム機構が設けられている。
【００４３】
また、フィルタチェンバ４の手前側の側壁の、前記フィルタ交換用開口部１１の後方には、ホルマリン除去用フィルタ７を交換時に出し入れするための矩形状のフィルタ交換用開口部１７が形成されている。
【００４４】
このフィルタ交換用開口部１７は、前述したフィルタ交換用開口部１１と同様に、常時は開閉ハンドル１８によって取り外し可能な蓋体１９で密閉されている。この蓋体１９には、その内側に配置される４つのホルマリン除去用フィルタ７のフィルタケーシング９の手前側の各側面に設けられているそれぞれの透明部９Ａ（第１の透明部）と対向するように、透明なアクリル樹脂板からなる透明部１９Ａ（第２の透明部）が設けられている。
【００４５】
図５に示すように、前記透明部９Ａはフィルタケーシング９の同図手前側の側面に開口された矩形状の開口部９Ｂに、透明なアクリル樹脂板９Ｃを装着して構成されている。また、フィルタケーシング９の上面には、ネジ固定される蓋板９Ｄで塞がれる充填口９Ｅが形成されていて、ここから濾過剤Ｆの充填や詰め替えができるようになっている。
【００４６】
この濾過剤Ｆは、前述したように、過マンガン酸カリウムの粒子表面に反応指示薬の微粒子をコーティングしたものであり、前記透明部９Ａを通してフィルタケーシング９の外部から濾過剤Ｆ表面の反応指示薬の色の変化を観察できるようにしている。
【００４７】
また、フィルタケーシング９の前後の面の中央部分にはそれぞれ、濾過剤Ｆの中に空気を通すためのステンレス製の多孔板９Ｆが装着されている。また、後面の周縁部には、全周に亘って前述した活性炭フィルタ６に使用されているものと同様なシール部材Ｓが貼り付けられている。
【００４８】
図６は、透明部９Ａ近傍の水平部分断面図であって、同図に示すように、アクリル樹脂板９Ｃの周縁部とフィルタケーシング９の開口部９Ｂの周縁部の裏面との間にはシール部材９Ｇが組み込まれており、このシール部材９Ｇによってフィルタケーシング９内を通過する空気がアクリル板９Ｃの周囲から外部に漏れ出すことを防いでいる。また、アクリル板９Ｃは、固定材９Ｈによってフィルタケーシング９の内側から前記開口部９Ｅに固定されている。
【００４９】
図７に示すように、蓋体１９の外側の透明部１９Ａからは、その内側に配置されている各ホルマリン除去用フィルタ７の透明部９Ａを通してこれらのフィルタ７内の濾過剤の状態を観察することができる。
【００５０】
同図において、各透明部９Ａから見えている斜線で示す部分は濾過剤がまだ有効である領域を示しており、境界位置Ｘより左方の白い部分は濾過剤が劣化して無効である領域を示している。
【００５１】
前記無効の領域では、濾過剤に含まれる反応指示薬によって濾過剤が変色しており、前記境界位置Ｘは、フィルタ７の濾過剤の劣化に伴って同図右方（空気流路の下流側）へ移動していく。
【００５２】
また、蓋体１９外側の透明部１９Ａの上方のスペースは、フィルタ交換が必要な位置に達したか否かを知らせる表示部２０として用いられている。図７においては、前記表示部２０には、変色域の境界位置Ｘの変化する範囲に対応させてそれぞれ、「安全」、「要交換」、「危険」の範囲の指標が記されており、前記境界位置Ｘが「要交換」の範囲に入ったときは、フィルタ交換が必要な時期であることを示している。
【００５３】
また、本実施形態においては、前記表示部２０には濾過剤が有効なときと、劣化して効力が無効になったときの、それぞれの標準的な色見本を併せて表示してあり、未熟練者でも濾過剤の劣化時の変色状態が的確に判断できるようにしてある。
なお、ここでは、表示部２０を蓋体１９の透明部１９Ａの上方のスペースに設けているが、透明部１９Ａの中に設けてもよい。
【００５４】
また、本実施形態においては、空気浄化装置１に取り込まれる空気にホルマリンとともに高濃度のエタノールが含まれているため、フィルタチェンバ４内の空気流路のホルマリン除去フィルタ７の前段に、活性炭フィルタ６を配置してエタノールを吸着除去し、ホルマリン除去フィルタ７の濾過剤Ｆに含まれる過マンガン酸カリウムがエタノールと反応してホルマリンの分解能力が損なわれないようにしている。
【００５５】
しかしながら、組織の病理検査を行う場合のようにエタノールが発生せず、ホルマリンのみを空気浄化装置で除去すればよい場合には、活性炭フィルタをフィルタチェンバの空気流路の前段に設ける必要はないため、フィルタチェンバ内にはホルマリン除去用のフィルタのみを組み込んでもよい。
【００５６】
また、フィルタチェンバやこの内部に組み込まれるフィルタの形状は、前述した実施形態に限定するものではなく、例えばフィルタチェンバを縦型の円筒形に構成して、その内部に垂直な空気流路を形成するとともに、フィルタケーシングをこれに適合する上下に扁平な円柱状としてもよい。
【００５７】
また、前述した実施形態においては、フィルタケーシング９の一方の側面に透明部９Ａを設けてこれを第１の透明部とし、また、フィルタチェンバ４のフィルタ交換用開口部１７に装着した蓋体１９の透明部１９Ａを第２の透明部としているが、これらの透明部は本実施形態のものに限定するものではなく、２つの透明部を通して、フィルタチェンバの外側からフィルタケーシング内の濾過剤中の反応指示薬の色を観察可能であればよい。
【００５８】
したがって、フィルタケーシング全体を透明素材で製作してこれを第１の透明部としてもよく、同様に、フィルタチェンバ全体を透明素材で製作してこれを第２の透明部とすることも可能である。
【００５９】
また、第１の透明部及び第２の透明部に用いる透明素材としては、アクリル樹脂板に限定するものではなく、他の樹脂板や強化ガラス等、必要な強度を備えた透明度の高い素材であればよい。
【００６０】
また、本実施形態においては、濾過剤Ｆには、過マンガン酸カリウムの粒子表面に反応指示薬の微粒子をコーティングしたものを用いているが、濾過剤はこれに限定するものではなく、ホルマリンを酸化分解可能な他の酸化剤、例えば、二酸化マンガンを用いてもよい。
【００６１】
なお、二酸化マンガンを用いる場合には、その粒子の表面に反応指示薬の微粒子をコーティングすると、ホルマリンの酸化反応が抑制されてしまうため、二酸化マンガンの層と反応指示薬の層を交互に積層してフィルタケーシング内に充填することが望ましい。
【産業上の利用可能性】
【００６２】
本発明の空気浄化装置及びフィルタは、医療関係の大学や研究機関、病院等のホルマリンを取り扱う様々な環境において利用することが可能である。さらに、本発明の空気浄化装置及びフィルタは、ホルマリンと同様に濾過剤に含まれる酸化剤によって分解され、その酸化生成物で反応指示薬が変色する物質を含んだ空気を浄化する場合にも利用可能である。
【符号の説明】
【００６３】
１        空気浄化装置
２        機枠
３        キャスタ車輪
４        フィルタチェンバ
５        吸気口
６        活性炭フィルタ
７        ホルマリン除去用フィルタ（フィルタ）
８、９    フィルタケーシング
９Ａ      透明部（第１の透明部）
９Ｂ      開口部
９Ｃ      アクリル樹脂板
９Ｄ      蓋板
９Ｅ      充填口
９Ｆ      多孔板
９Ｇ      シール部材
９Ｈ      固定材
１０ａ、１０ｂ、１０ｃ  フィルタ保持部材
１１      フィルタ交換用開口部
１２      開閉ハンドル
１３      蓋体
１４      フィルタ位置決め部材
１５ａ、１５ｂ、１５ｃ  フィルタ保持部材
１６    フィルタ位置決め部材
１７    フィルタ交換用開口部
１８    開閉ハンドル
１９    蓋体
１９Ａ  透明部（第２の透明部）
２０    表示部
Ｓ      シール部材
Ｆ      濾過剤
【図１】
2015181775.tif 000003
【図２】
2015181775.tif 000004
【図３】
2015181775.tif 000005
【図４】
2015181775.tif 000006
【図５】
2015181775.tif 000007
【図６】
2015181775.tif 000008
【図７】
2015181775.tif 000009